(57)【特許請求の範囲】
【請求項１】
音声、表示の少なくとも一方でヘルプメッセージをユーザに報知する画像処理装置において、
ヘルプメッセージを表示する表示器と、ヘルプメッセージに対応して操作可能な操作部としてのボタンとを備え、
或る操作に際しては必要なヘルプメッセージが表示器に順に表示され、各ヘルプメッセージに関連するボタンのみが他のボタンと区別して表示され、ボタン操作に伴って区別して表示されるボタンがヘルプメッセージとともに順に変化していくように構成したことを特徴とする画像処理装置。
【発明の詳細な説明】
【０００１】
【発明の属する技術分野】
この発明は、複写機、ファクシミリ装置、複写機能・ファックス機能等の多機能を有する複合機等の画像処理装置に関する。
【０００２】
【従来の技術】
画像処理装置には、多くのキーを有する操作部を備えており、従来、この操作部の操作を容易にするため、表示や音声でヘルプメッセージをユーザに報知するようにしたものがある。
【０００３】
【発明が解決しようとする課題】
上記した従来の画像処理装置においては、ヘルプメッセージは、例えば“○○キーを押して下さい”とか言うが、キーの種類、数が多い場合、ユーザにはそのキーが装置のどこにあるか判らないことが多く、ヘルプメッセージが必ずしもユーザの援助になっていないという問題があった。
【０００４】
この発明は上記問題点に着目してなされたものであって、ヘルプメッセージが有効に機能し得る画像処理装置を提供することを目的としている。
【０００５】
【課題を解決するための手段】
この発明の画像処理装置は、音声、表示の少なくとも一方でヘルプメッセージをユーザに報知するものにおいて、ヘルプメッセージを表示する表示器と、ヘルプメッセージに対応して操作可能な操作部としてのボタンとを備え、或る操作に際しては必要なヘルプメッセージが表示器に順に表示され、各ヘルプメッセージに関連するボタンのみが他のボタンと区別して表示され、ボタン操作に伴って区別して表示されるボタンがヘルプメッセージとともに順に変化していくように構成したことを特徴とする。
【０００６】
この発明の画像処理装置においては、ユーザが或る操作をする場合、表示器に順に表示されるヘルプメッセージを見て、他のボタンと区別して表示され且つヘルプメッセージとともに順に変化していくヘルプメッセージ関連ボタンの中から希望のボタンを順に操作していくように構成されている。
【０００７】
なお、各ヘルプメッセージに関連するボタンのみを他のボタンと区別して表示する形態としては、ヘルプメッセージに対応するボタンをブリンク表示することとすれば、他のボタンとの識別がより可能となる。
【０００８】
また、ヘルプメッセージに対応するボタンを、他のボタンと異なる色で表示するようにしても良い。やはり、他のボタンとの識別がより可能となる。
【０００９】
【発明の実施の形態】
以下、実施の形態により、この発明を更に詳細に説明する。図１に、この発明の実施形態画像形成装置全体の概略構成を示すブロック図を示す。
【００１０】
この画像処理装置は、ファクシミリ機能とコピー機能とを備えたいわゆる複合機として構成したもので、ＭＰＵ１、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ（ＤＲＡＭ）６、スキャナ７、プリンタ８、ＣＯＤＥＣ（符号化・復号器：Ｃｏｄｅｒ  ａｎｄ  Ｄｅｃｏｄｅｒ  ）９、タッチパネル１０、タッチパネルＩ／Ｆ１１、液晶表示器１２、液晶ドライバ１３、ＬＡＮＩ／Ｆ１４を備える。タッチパネル１０とタッチパネルＩ／Ｆ１１で操作部を構成し、液晶表示器１２と液晶ドライバ１３で表示部を構成している。液晶表示器１２の上面にタッチパネル１０が配置されている。
【００１１】
ＭＰＵ１は、この装置を構成する各部を制御する機能を有する。ＮＣＵ２は、電話回線網（ＰＳＴＮ）との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１２】
ＲＯＭ４は、この装置を制御するためのプログラムを記憶する。ＲＡＭ５は、データ等を一時的に記憶する。画像メモリ６は、受信画像データやスキャナ７で読み取った画像データを一時的に記憶する。スキャナ７は、ＦＡＸ送信するときにあるいはコピーするときに、原稿の画像データを読み取る。プリンタ８は、電子写真式のプリンタよりなり、受信画像データやコピー動作においてスキャナ７で読み取った原稿の画像データを記録紙上に記録する。ＣＯＤＥＣ９は、読み取った画像データを送信するためにＭＨ、ＭＲ、ＭＭＲ方式等により符号化（エンコード）し、受信画像データを復号（デコード）する。
【００１３】
液晶表示器１２には、種々のボタンが表示され、タッチパネル１０上から各ボタンにタッチすることにより、数字、文字の入力、ＦＡＸの送信・受信、プリント等の指示入力が行われる。タッチパネル１０上から目視される液晶表示器１２のボタン等は、パネル中央下部に配置されるＣＯＰＹ、ＦＡＸ、スタート、ストップのモードキー、パネル右部に配置されるテンキー、パネル左部に配置されるＡＢＣ銀行、ＤＥＦ保険、ＧＨＩ証券等の登録されたファクシミリ番号に対応するワンタッチキー、パネル中央上部に配置される文字情報表示部等である。
【００１４】
次に、図２、図３に示すフロー図を参照して、この実施形態画像処理装置の処理動作を説明する。
【００１５】
動作がスタートすると、先ず、ステップＳＴ１において、原稿がセットされたか否かを判定する。原稿がセットされた場合には、ステップＳＴ２へ移行する。一方、原稿がセットされていないと原稿がセットされるまで、このステップＳＴ１にとどまる。
【００１６】
ステップＳＴ２においては、表示部に「コピーかファクシミリを選んで下さい。」を表示する。そして、ステップＳＴ３へ移行する。ステップＳＴ３においては、ＣＯＰＹボタンとＦＡＸボタンをブリンク表示する。この時の表示状態を図４に示す。次に、ステップＳＴ４へ移行する。ステップＳＴ４においては、ＣＯＰＹボタンが押されたか否かを判定する。ＣＯＰＹボタンが押された場合は、ステップＳＴ６へ移行する。一方、ＣＯＰＹボタンが押されていない場合は、ステップＳＴ５へ移行する。
【００１７】
ステップＳＴ６においては、表示部に「部数をテンキーで入れて下さい。一部で良い時は、スタートボタンを押して下さい。」を表示する。そして、ステップＳＴ７へ移行する。ステップＳＴ７においては、テンキー（＊、＃を除く）とスタートボタンをブリンク表示する。この時の表示状態を図５に示す。次に、ステップＳＴ８へ移行する。ステップＳＴ８においては、テンキー操作か否かを判定する。テンキーが操作された場合は、ステップＳＴ９へ移行する。一方、テンキーの操作でない場合は、ステップＳＴ１２へ移行する。
【００１８】
ステップＳＴ９においては、操作されたテンキーに応じた部数を設定する。次に、ステップＳＴ１０へ移行する。ステップＳＴ１０においては、表示部に部数を表示する。この場合の表示例を図６に示す。次に、ステップＳＴ１１へ移行する。ステップＳＴ１１においては、テンキーのブリンク表示を停止する。続いて、ステップＳＴ１２へ移行する。
【００１９】
ステップＳＴ１２においては、スタートボタンが押されたか否かを判定する。スタートボタンが押されていない場合は、ステップＳＴ８へ戻る。一方、スタートボタンが押された場合は、ステップＳＴ１３へ移行する。ステップＳＴ１３においては、スタートボタン等のブリンクを停止する。そして、ステップＳＴ１４へ移行する。ステップＳＴ１４においては、指定された部数、つまりテンキー、スタートボタンと操作された場合はテンキーにより入力された部数、スタートボタンのみ操作された場合は１部をコピーする。以上にて、コピー処理を終了する。
【００２０】
ステップＳＴ５においては、ＦＡＸボタンが押されたか否かを判定する。ＦＡＸボタンが押された場合には、ステップＳＴ１５へ移行する。一方、ＦＡＸボタンが押されていない場合は、ステップＳＴ４へ戻る。そして以後、ＣＯＰＹボタンかＦＡＸボタンのいずれかが押されるまで、ステップＳＴ４、ＳＴ５にとどまる。この時、表示状態は図４に示すままである。
【００２１】
ステップＳＴ１５においては、表示部に「ワンタッチボタンを押して下さい。又は、相手の電話番号をテンキーでダイヤルして下さい。」を表示する。この時の表示状態を図７に示す。次に、ステップＳＴ１６へ移行する。ステップＳＴ１６においては、ワンタッチキーが押されると、ステップＳＴ１７へ移行する。一方、ワンタッチキーが押されていないと、ステップＳＴ１９へ移行する。
【００２２】
ステップＳＴ１７においては、ブリンクを停止する。そして、ステップＳＴ１８へ移行する。ステップＳＴ１８においては、ワンタッチに登録された相手先にファクシミリ送信を行う。これにて、ファクシミリ送信の処理を終了する。
【００２３】
ステップＳＴ１９においては、テンキーが押されたか否か判定する。テンキーが押された場合は、ステップＳＴ２０へ移行する。一方、テンキーが押されていない場合は、ステップＳＴ１６へ戻る。ワンタッチキーとテンキーのいずれかが押されるまで、処理はこのステップＳＴ１６、ＳＴ１９にとどまる。ステップＳＴ２０においては、ワンタッチボタンのブリンクを停止する。そして、ステップＳＴ２１へ移行する。
【００２４】
ステップＳＴ２１においては、テンキーによる相手先へのダイヤル入力を行う。ステップＳＴ２２においては、表示部に入力されたダイヤルを表示するとともに「スタートボタンを押して下さい。」とのメッセージを表示する。この時の表示状態を図８に示す。続いて、ステップＳＴ２３へ移行する。
【００２５】
ステップＳＴ２３においては、スタートボタンが押されたか否かを判定する。押されている場合は、ステップＳＴ２４へ移行する。一方、スタートボタンが押されていない場合は、ステップＳＴ２１へ戻る。ステップＳＴ２４においては、ブリンクを停止する。そして、ステップＳＴ２５へ移行する。ステップＳＴ２５においては、入力されたダイヤル先へ発呼し、ファクシミリ送信を行う。そして、処理を終了する。
【００２６】
なお、上記実施形態において、他の操作部との識別性を良くするためにブリンク表示したが、これに限ることなく、反転表示を適用しても良いし、カラー表示器にすれば色を変え、あるいは色とブリンクにより、一層ボタンの区別を容易に付けることができる。
【００２７】
また、タッチパネルではなく、キーの周囲に配置されたＬＥＤや、ＬＥＤを内蔵したキーを用いて、メッセージに対応するキーのＬＥＤを点灯させることにより、メッセージに対応して操作できるキーを他のキーから区別することもできる。
【００２８】
【発明の効果】
この発明によれば、順に表示されるヘルプメッセージに伴ってボタンも他のボタンと区別して順に表示されるので、ユーザの操作が容易となる。また、タッチパネルとすると、そのような区別を容易に付けることができ、更にブリンク表示にすると、表示器が白黒の場合でも区別を容易に付けることができる。
【図面の簡単な説明】
【図１】この発明の一実施形態である画像処理装置の構成を示すブロック図である。
【図２】同実施形態画像処理装置の処理動作を説明するフロー図である。
【図３】図２とともに、同実施形態画像処理装置の動作を説明するフロー図である。
【図４】同実施形態画像処理装置の原稿セット時の表示状態を示す図である。
【図５】同実施形態画像処理装置のコピーの場合（部数入力前）の表示状態を示す図である。
【図６】同実施形態画像処理装置のコピーの場合（部数入力終了）の表示状態を示す図である。
【図７】同実施形態画像処理装置のファクシミリ送信（ワンタッチキー）の表示状態を示す図である。
【図８】同実施形態画像処理装置のファクシミリ送信（ダイヤル入力の場合）の表示状態を示す図である。
【符号の説明】
１        ＭＰＵ
２        ＮＣＵ
３        ＭＯＤＥＭ
４        ＲＯＭ
５        ＳＲＡＭ
６        画像メモリ
７        スキャナ
８        プリンタ
９        ＣＯＤＥＣ
１０      タッチパネル
１１      タッチパネルＩ／Ｆ
１２      液晶表示器
１３      液晶ドライバ
１４      ＬＡＮＩ／Ｆ
【図１】
0003608535.tif 000002
【図２】
0003608535.tif 000003
【図３】
0003608535.tif 000004
【図４】
0003608535.tif 000005
【図５】
0003608535.tif 000006
【図６】
0003608535.tif 000007
【図７】
0003608535.tif 000008
【図８】
0003608535.tif 000009